(57)【特許請求の範囲】
【請求項１】
検査片と、この検査片に設けられた検査片側電極と、前記検査片が挿入される本体部と、この本体部に設けられるとともに前記検査片側電極と接触する本体側電極から成る接続装置において、前記本体部は前記検査片が挿入される挿入口と、この挿入口に連結して設けられた挿入通路と、この挿入通路の奥部の下壁面に設けられた前記本体側電極とを備え、前記本体側電極の近傍であって、前記挿入口側に設けられるとともに前記本体側電極の高さより低い高さを有する突部が設けられた接続装置。
【請求項２】
突部の挿入口側の斜面は、下壁面と一体に形成され下壁面から連続して滑らかに立ち上がっている請求項１に記載の接続装置。
【請求項３】
突部の高さは、本体側電極の高さの３分の１以上、２分の１以下とした請求項１に記載の接続装置。
【請求項４】
検査片の上方から前記検査片を下壁面側に押圧する第１の押圧部を設けるとともに、この第１の押圧部は、突部と本体側電極との間に設けられた請求項１に記載の接続装置。
【請求項５】
本体側電極の更に奥部側に、検査片を上方から下壁面側に押圧する第２の押圧部が設けられた請求項４に記載の接続装置。
【請求項６】
本体側電極は、検査片の挿入方向に対して直角方向に複数個設けるとともに、第１の押圧部は前記本体側電極の間に設けられた請求項４に記載の接続装置。
【請求項７】
本体側電極と検査片側電極は、検査片の挿入に伴い、順次接続するように配置された請求項６に記載の接続装置。
【発明の詳細な説明】
【技術分野】
【０００１】
本発明は、接続装置とこれを用いた測定装置に関するものである。
【背景技術】
【０００２】
以下、従来の接続装置とこれを用いた測定装置について説明する。図１１は、検査片１と、この検査片１が挿入される測定装置２の斜視図である。
【０００３】
検査片１の上面には反応部３が設けられており、この反応部３には凝固度合いを測定する血液４が点着される。そしてこの検査片１は、測定装置２を構成する本体部５の上面に設けられた挿入口６から挿入される。そして、本体部５に形成された窓部７に反応部３が重なる位置で停止する。この停止した位置で、本体部５に設けられた本体側電極８と、検査片１に設けられた検査片側電極９とが接触するものである。
【０００４】
図１２は、本体部５側に設けられるとともに測定装置２を構成する接続装置１０を装着した状態の断面図である。この接続装置１０は、挿入口６から検査片１が挿入されて、検査片側電極９と本体側電極８とが接続するよう試験片を下壁面側に押圧するものである。図１２において、１１は挿入口６に連結して設けられた挿入通路であり、この挿入通路１１の奥部１２側には検査片１に設けられた検査片側電極９と接続される本体側電極８が設けられている。
【０００５】
そして、測定装置２では、本体側電極８と検査片側電極９の接続により、検査片１が本体部５に挿入されたことを検知したり、検査片１の反応部３に点着された血液４の抵抗等を検査したりするものである。
【０００６】
なお、この出願の発明に関連する先行技術文献情報としては、例えば、特許文献１、特許文献２が知られている。
【特許文献１】特開平９−２５１８７８号公報
【特許文献２】特表２００１−５１５２０３号公報
【発明の開示】
【発明が解決しようとする課題】
【０００７】
しかしながらこのような従来の本体部５、接続装置１０では、検査片１の挿入時において、検査片１の先端１ａが本体側電極８に当接してしまい、スムーズな挿入ができなかった。
【０００８】
そこで本発明は、この問題を解決したもので、検査片をスムーズに挿入することができる接続装置を提供することを目的としたものである。
【課題を解決するための手段】
【０００９】
この目的を達成するために本発明の接続装置は、本体側電極の近傍であって、挿入口側に設けられるとともに前記本体側電極の高さより低い高さを有する突部が設けられたものである。これにより、初期の目的を達成することができる。
【発明の効果】
【００１０】
以上のように本発明によれば、本体側電極の近傍であって、挿入口側に設けられるとともに前記本体側電極の高さより低い高さを有する突部が設けられたものであり、検査片が先ず突部に乗り上げて挿入され、次に本体側電極に接触するので、スムーズな挿入が可能となる。
【発明を実施するための最良の形態】
【００１１】
（実施の形態１）
以下、本発明の実施の形態について、図面に基づいて説明する。図３は、血液検査を行なう光学測定システム（測定装置の一例として用いた）の斜視図である。この光学検査システムは、検査すべき血液が点着される検査片１５と、この検査片１５に点着された血液の凝固時間（ＰＴ）を測定する光学測定機１６と、この光学測定機１６が正常に動作するか否かを検証する検証装置１７とから構成されている。
【００１２】
光学測定機１６には、検査片１５を挿入口２１から挿入して定位置に装着するための検査台１８が設けられている。検査片１５上には反応部２０が設けられており、この反応部２０には試料１４（図示せず）が塗着されている。この試料１４は試薬に血液１９が点着されたものであり、光の照射で励起して蛍光を発するものである。この光学測定機１６の検査台１８に検査片１５を載置した際に、反応部２０は検査台１８に設けられた窓部１３の真上に位置するような構成となっている。なお、図３には図示していないが、検査片１５を挿入して用いる場合においては、図５（後述）に示すホルダ４１を検査台１８に装着して、検査片１５の挿入通路３５を形成する。
【００１３】
また、光学測定機１６には測定中に外来光や埃等の侵入を防止する目的で、上面に開閉自在な蓋部２２が設けられている。この蓋部２２は、閉状態で検査台１８を覆い、外来光や埃等の侵入を防止する構成となっている。また、この蓋部２２が設けられた側には表示部２３と、ユーザが操作をするボタン２４が設けられている。１７は光学測定機１６の動作を検証するための検証装置であり、検査片１５に代えて検査台１８上に設置されるものである。
【００１４】
図４は、光学測定機１６を用いて検査片１５に点着された血液１９を検査する原理斜視図である。図４において、発光ダイオード２５から照射された光は光学フィルタ２６を通過する。そして反応部２０に塗着された試料１４を照射する。この試料１４は血液１９に試薬が混合されており、光の照射により励起されて蛍光を発する。この励起された蛍光は光学フィルタ２７を通過してフォトトランジスタで形成された受光器２８で受光される。
この受光器２８で受光される蛍光量は時間とともに増大する。そして、予め定められた蛍光量になるまでの時間から、凝固し易い血液か、或いは凝固し難い血液かを判定する。この判定結果に基づいて、適切な量の抗凝固剤を処方する。この抗凝固剤を処方は重要である。即ち、抗凝固剤が少なすぎたら血管が詰まってしまうし、多過ぎたら出血が止まらないことになるからである。
【００１５】
ここで、光学フィルタ２６を通過した光は、光学フィルタ２７を通過しない性質のものを用いている。これは、受光器２８には、試料１４で励起した蛍光のみが到達するようにするためである。具体的には、光学フィルタ２６は５２０ｎｍ以下の波長の光を通過させるものに対して、光学フィルタ２７は５４０ｎｍ〜５７５ｎｍの波長の光を通過させるものである。
【００１６】
２９は、検査片１５の下方に設けられたヒータであり、試料１４の温度を人間の体温と同じ３７℃に保ち、人体での反応と同様の反応をシミュレートするためのものである。また、３０は、光学測定機１６の本体部３１に設けられた本体側電極である。
【００１７】
図１は、光学測定機（測定装置の一例）１６に用いられる接続装置の断面図である。図１において、２１は検査片１５が挿入される挿入口であり、この挿入口２１には挿入通路３５が連結して設けられている。そして、この挿入通路３５の奥部３６近傍には複数個の本体側電極３０が設けられている。この本体側電極３０は、光学測定機１６の検査台１８を形成する下壁面３７上に設けられている。
【００１８】
３８は、下壁面３７上に設けられた突部であり、この突部３８は本体側電極３０の近傍であって、本体側電極３０に対して挿入口２１側に設けられるとともに下壁面３７と一体的に形成されている。図２に示すように、この突部３８の高さ３８ａは、本体側電極３０の高さ３０ａの３分の１以上であって、２分の１以下の高さにしている。また、この突部３８の挿入口２１側の斜面３８ｂは下壁面３７から連続して滑らかに立ち上がっている。
【００１９】
従って、挿入された検査片１５はスムーズにこの斜面３８ｂに沿って上昇し、容易に本体側電極３０に乗り上げることができる。また、突部３８の断面形状は、挿入口２１側寸法３８ｃを本体側電極３０側寸法３８ｄより長くして、非対称形にしておくことが重要である。こうすることにより、検査片１５をスムーズに挿入させることができるとともに、本体側電極３０と突部３８との距離を短くすることができる。
【００２０】
図１に戻って、４１は、検査台１８に装着されるホルダであって、このホルダ４１は下壁面３７とともに挿入通路３５を形成する。そしてこのホルダ４１には、検査片１５を下壁面３７側に押圧する第１の押圧部４２が形成されている。この第１の押圧部４２は、突部３８と本体側電極３０との間を押圧するように位置している。従って、検査片１５に形成された検査片側電極４３を確実に本体側電極３０に接触させて導通する。この検査片側電極４３は、検査片１５を奥部３６まで確実に挿入した位置で、本体側電極３０に確実に接触するようになっている。
【００２１】
４４はホルダ４１に設けられた第２の押圧部であり、この第２の押圧部４４は本体側電極３０の更に奥部３６側に形成されており、検査片１５の先端１５ａ近傍を下壁面３７方向に押圧する。この第２の押圧部４４により、検査片側電極４３で本体側電極３０を包むように押圧し、更に、検査片側電極４３と本体側電極３０との接触の信頼性を向上させている。また、この本体側電極３０を介して、検査片１５が本体部３１に挿入されたことを検知したり、反応部２０に塗着された試料１４の抵抗等を検査したりする。
【００２２】
図５は、ホルダ４１の上面斜視図であり、このホルダ４１は検査台１８の上面に着脱自在に設けられている。即ち、このホルダ４１を外して、この検査台１８上に検証装置１７を装着することができる。このようにして、検証装置１７を装着することにより、光学測定機１６の動作を検証することができる。
【００２３】
また、この検証装置１７を外して、その代わりにこのホルダ４１を装着すると、検査片１５の挿入通路３５が形成される。従って、検査片１５を挿入通路３５に挿入して光学測定機１６で試料１４の性質を検査することができる。即ち、このホルダ４１を装着すると、このホルダ４１と下壁面３７（検査台１８の上面の一部）とで検査片１５の挿入口２１と挿入通路３５が形成される。
【００２４】
図６は、ホルダ４１の下面斜視図である。４２は第１の押圧部であり、４４は第２の押圧部である。なお、このホルダ４１は樹脂材で形成されており、第１の押圧部４２及び第２の押圧部４４とホルダ４１とは一体的に形成されている。従って、これら第１の押圧部４２及び第２の押圧部４４を装着する組み立て工数は不要となる。また、材料費も不要となり、低価格化に寄与することができる。
【００２５】
図７は、本体部３１に形成された挿入通路３５に検査片１５を挿入する途中の透視平面図である。３０は、本体側電極であり、この本体側電極３０の挿入口２１側に突部３８が２個形成されている。この突部３８は挿入通路３５の両端に、少なくとも２個の本体側電極３０をカバーするように夫々設けられており、バランス良く検査片１５の先端１５ａを本体側電極３０に導くことができる。
【００２６】
また、第１の押圧部４２は、複数個の本体側電極３０間に夫々設けられている。従って、全ての本体側電極３０に対して略均一に検査片１５を押圧することができる。また、この第１の押圧部４２は挿入通路３５の両端に行くほど長くなっており、一度に多数の第２の押圧部４２が接触を開始することはない。即ち、順次接して行くので、平均化した少ない挿入力で検査片１５を挿入することができる。
【００２７】
図８（ａ）は検査片１５と本体側電極３０近傍の平面図であり、図８（ｂ）は、その断面図である。図８（ａ）において、検査片１５は本体側電極３０に向かって矢印４５方向に挿入される。そうすると、図８（ｂ）に示すように、検査片１５は本体側電極３０に乗り上げて停止する。この状態において、本体側電極３０ａ、３０ｂ、３０ｃ、３０ｄは夫々対応する検査片側電極４３ａ、４３ｂ、４３ｃ、４３ｄと確りと接触する。本体側電極３０ａ、３０ｂ、３０ｃ、３０ｄは夫々光学測定機１６内の識別部４６に接続されている。また、検査片側電極４３ａと４３ｂは検査片１５内で接続されており、検査片側電極４３ｃと４３ｄは反応部２０の一方と他方の端子に夫々接続されている。
【００２８】
従って、これらの本体側電極３０ａ、３０ｂ、３０ｃ、３０ｄの状況を識別部４６で認識することにより、検査片１５が如何なる状態にあるか識別することができる。即ち、本体側電極３０ａ、３０ｂ間の抵抗が無限大から略０オームに変化したら、検査片１５が検査できる所定の位置にセットされたことを認識することができる。これは、本体側電極３０ａが検査片側電極４３ａに接触して導通し、検査片側電極４３ａから検査片側電極４３ｂを通って、本体側電極３０ｂに接続されることによって識別される。
【００２９】
また、本体側電極３０ｃ、３０ｄ間の抵抗が無限大から予め定められた抵抗値に変化したら、反応部２０に試料１４が塗着されたことを認識することができる。また、時間とともにこの抵抗値を測定していけば、試料１４の時間ともに変化する性質を知ることができる。本実施の形態では、血液１９の凝固特性を測定している。これは、本体側電極３０ｃが検査片側電極４３ｃに接触して導通し、検査片側電極４３ｃから反応部２０に導かれ、この反応部２０に塗着された試料１４を通って、検査片側電極４３ｄに導かれる。そして、この検査片側電極４３ｄに接触した本体側電極３０ｄに接続されることによって識別される。ここで、検査片側電極４３ｂ、４３ｃと本体側電極３０ｂ、３０ｃは共用化しても良い。こうすることにより、電極の数を減らすことができる。
【００３０】
なお、この検査片１５は、軟性材料で形成されており、挿入方向に対して曲げ弾性を有した材質のものを用いている。
【００３１】
（実施の形態２）
図９は、実施の形態２における光学測定機１６ａを構成する本体部３１ａの平面図である。実施の形態２では、突部３８が挿入通路３５の中央に１個設けられている。その長さは複数個の本体側電極３０の中央の少なくとも２個をカバーするものである。また、本体側電極３０は中央の２個が最も挿入口２１側に設けられており、それから両端に行くほど対称的（弓形）に順次、奥部３６側に移動している。
【００３２】
このように、突部３８と本体側電極３０を配置することにより、検査片１５の挿入において、一度にかかる負荷は減少するので、挿入が容易となる。
【００３３】
（実施の形態３）
図１０は、実施の形態３における光学測定機１６ｂの本体部３１ｂの平面図である。実施の形態３では、複数の突部３８ａが複数個の本体側電極３０の間に夫々１個ずつ配置されている。従って、本体側電極３０へスムーズに乗り上げることができる。
【産業上の利用可能性】
【００３４】
本発明にかかる接続装置は、スムーズな挿入ができるので、医療現場等で用いられる測定装置として有用である。
【図面の簡単な説明】
【００３５】
【図１】本発明の実施の形態１における接続装置の断面図
【図２】同、要部拡大断面図
【図３】同、測定装置を用いた光学測定システムの斜視図
【図４】同、測定装置の原理斜視図
【図５】同、測定装置に用いるホルダの上面斜視図
【図６】同、下面斜視図
【図７】同、測定装置上面からの透視平面図
【図８】（ａ）は同、検査片とその近傍の平面図  （ｂ）は同、断面図
【図９】同、実施の形態２における測定装置上面の平面図
【図１０】同、実施の形態３における測定装置上面の平面図
【図１１】従来の検査片とこれが挿入される測定装置の斜視図
【図１２】同、接続装置装着状態の断面図
【符号の説明】
【００３６】
１５  検査片
２１  挿入口
３０  本体側電極
３１  本体部
３５  挿入通路
３６  奥部
３７  下壁面
３８  突部
４３  検査片側電極
【図１】
0004631565.tif 000002
【図２】
0004631565.tif 000003
【図３】
0004631565.tif 000004
【図４】
0004631565.tif 000005
【図５】
0004631565.tif 000006
【図６】
0004631565.tif 000007
【図７】
0004631565.tif 000008
【図８】
0004631565.tif 000009
【図９】
0004631565.tif 000010
【図１０】
0004631565.tif 000011
【図１１】
0004631565.tif 000012
【図１２】
0004631565.tif 000013